(57)【特許請求の範囲】
【請求項１】
軸線（Ｄ）の周りで枢動する香箱真（１８）を含む時計の香箱アセンブリ（１）であって、
前記香箱真（１８）は、受け（１０）における前記香箱真の枢動をガイドするための第１の肩部（１８１）と、地板（２０）における前記香箱真の枢動をガイドするための第２の肩部（１８２）との間に、第１の端部（８６）が前記第１の肩部（１８１）上、第２の端部（８７）が前記第２の肩部（１８２）上にあるように延在し、
前記香箱真（１８）は、前記第１の肩部（１８１）と第２の肩部（１８２）との間に、コア（４）が嵌め込まれる中間肩部（８４）を含み、
前記香箱アセンブリ（１）は少なくとも１つの香箱用ゼンマイ（２）を含み、
前記ゼンマイ（２）は、前記軸線（Ｄ）の周りを枢動する香箱ドラム（３）と、前記コア（４）の受承表面（５）との間に、第１の外側端部（２１）が前記香箱ドラム（３）上、第２の内側端部（２２）が前記受承表面（５）上にあるように設置される、時計の香箱アセンブリ（１）において、
前記香箱真（１８）は、前記第１の肩部（１８１）と前記コア（４）との間に、前記香箱真（１８）と一体の角穴車ホルダ（８１）を含み、該角穴車ホルダ（８１）は角穴車（１２）を嵌め込む又は固定するための肩部を含むこと、並びに
前記コア（４）は、前記角穴車ホルダ（８１）側に、前記角穴車ホルダから離間して、第１の上部外側シャフト形状部分（４３）を含み、前記第１の上部外側シャフト形状部分（４３）上で、前記ドラム（３）が前記ドラム（３）の孔（３５）によって枢動的にガイドされること
を特徴とし、
前記角穴車（１２）は、前記第１の肩部（１８１）に対して前記シャフト形状部分（４３）と同じ側において、前記第１の上部外側シャフト形状部分（４３）から離間しているが前記第１の上部外側シャフト形状部分（４３）の近傍に設置されること、並びに
前記角穴車ホルダ（８１）は、前記コア（４）が前記ゼンマイ（２）の前記受承表面（５）の縁部に備える軸受け表面（４３Ａ）に対する前記ドラム（３）の振動を直接又は間接的に制限すること
を更に特徴とする、時計の香箱アセンブリ（１）。
【請求項２】
前記第１の肩部（１８１）は、前記香箱真（１８）の段付き端部（８５）によって前記
角穴車ホルダ（８１）の側において制限され、前記香箱真（１８）及び前記コア（４）は、機能的な遊び（Ｊ）を有して軸受けリング（１９）を収容し、
前記軸受けリング（１９）は、前記中間肩部（８４）上で、前記リング（１９）の第１の側（１９１）においては前記香箱真（１８）の第１の段付き部（８３）又は前記角穴車ホルダ（８１）と、前記第１の側（１９１）と反対側の前記軸受けリング（１９）の第２の側（１９２）においては前記コア（４）の第１の端面（４９）との間で可動であり、前記第１の端面（４９）は前記コア（４）の第２の端面（４９Ａ）とは反対側であり、
前記第２の端面（４９Ａ）は、前記香箱真（１８）の前記段付き端部（８５）と共に、前記香箱アセンブリ（１）が機能できる前記受け（１０）の軸受けと前記地板（２０）の軸受けの中心間距離（Ｅ）を画定し、
前記香箱アセンブリ（１）は、前記中心間距離（Ｅ）内において、前記第１の肩部（１８１）及び前記第２の肩部（１８２）のホゾ上で回転する
ことを特徴とする、請求項１に記載の香箱アセンブリ（１）。
【請求項３】
前記機能的な遊び（Ｊ）は、０．０４ｍｍ〜０．０８ｍｍであることを特徴とする、請求項２に記載の香箱アセンブリ（１）。
【請求項４】
前記角穴車ホルダ（８１）は、前記軸受けリング（１９）を受承するための内側ハウジングを含むことを特徴とする、請求項２又は３に記載の香箱アセンブリ（１）。
【請求項５】
前記角穴車ホルダ（８１）は、前記第１の段付き部（８３）のすぐ傍に少なくとも１つのノッチ（８２）を含み、前記軸受けリング（１９）に部分的に重なっており、これによって前記ノッチ（８２）を通して挿入される工具を用いて前記軸受けリング（１９）に推力を印加することにより、前記リングを分解することが可能となり、前記少なくとも１つのノッチ（８２）及び前記軸受けリング（１９）は、共に前記コア（４）の引き抜き手段（１９０）を形成することを特徴とする、請求項２〜４のいずれか１項に記載の香箱アセンブリ（１）。
【請求項６】
前記香箱真（１８）の前記第１の肩部（１８１）の直径は、前記コア（４）の前記中間肩部（８４）の直径よりも小さいことを特徴とする、請求項１〜５のいずれか１項に記載の香箱アセンブリ（１）。
【請求項７】
前記コア（４）に背分力又は牽引力を印加することにより、前記コア（４）を前記軸線（Ｄ）に沿って軸方向に引き抜くことができるよう配設される、引き抜き手段（１９０）を含み、
前記手段は、少なくとも１つの溝（１９０Ａ）及び／又は前記コア（４）が前記第２の端面（４９Ａ）の傍に備える段付き部によって形成され、
前記第２の端面（４９Ａ）は、端部のうちの一方において前記軸受け面（４３Ａ）の反対側かつ前記コア（４）の第２の底部外側シャフト形状部分（４４）を越えた地点に位置し、
前記第２の端面（４９Ａ）は、前記ドラム（３）と共に、前記少なくとも１つのゼンマイ（２）を収容するためのチャンバ（３２）を形成するよう配設される蓋（７）の孔（７５）を摺動自在に受承するよう配設される
ことを特徴とする、請求項１〜６のいずれか１項に記載の香箱アセンブリ（１）。
【請求項８】
前記ゼンマイ（２）は、前記ドラム（３）及び前記蓋（７）によって範囲を定められる前記チャンバ（３２）内に収容されること、並びに
前記コア（４）は、前記蓋（７）の前記孔（７５）が枢動する第２の底部外側シャフト部分（４４）を含むこと
を特徴とする、請求項１〜７のいずれか１項に記載の香箱アセンブリ（１）。
【請求項９】
前記コア（４）は２つの部分で作製され、第１のチューブ状部分（４Ａ）は、前記香箱真（１８）と協働するよう配設され、対向する軸方向端部両方に前記第１の端面（４９）及び前記第２の端面（４９Ａ）を含み、
前記第１のチューブ状部分（４Ａ）の外径は、前記ドラム（３）の前記孔（３５）のためのホゾを形成するよう配設される前記第１の上部外側シャフト形状部分（４３）を形成し、
前記第２のチューブ状部分（４Ｂ）は、前記第１の上部外側シャフト形状部分（４３）を嵌め込む孔を含み、
前記第２のチューブ状部分（４Ｂ）は、前記ゼンマイ（２）の前記受承表面（５）を含むか又は前記ゼンマイ（２）の内側端部を形成する
ことを特徴とする、請求項１〜８のいずれか１項に記載の香箱アセンブリ（１）。
【請求項１０】
前記角穴車ホルダ（８１）は、前記角穴車（１２）のための枢動駆動手段を含み、前記角穴車（１２）は前記角穴車ホルダ（８１）と前記ドラム（３）との間に収容されることを特徴とする、請求項１〜９のいずれか１項に記載の香箱アセンブリ（１）。
【請求項１１】
前記ゼンマイ（２）は、前記コア（４）に摩擦によって固定されることを特徴とする、請求項１〜１０のいずれか１項に記載の香箱アセンブリ（１）。
【請求項１２】
前記ゼンマイ（２）は、前記コア（４）と共に、溶接された単一部品のゼンマイ−コアサブアセンブリを形成することを特徴とする、請求項１〜１０のいずれか１項に記載の香箱アセンブリ（１）。
【請求項１３】
前記ゼンマイは、４４〜４６％のコバルト、２０〜２２％のニッケル、１７〜１９％のクロム、４〜６％の鉄、３〜５％のタングステン、３〜５％のモリブデン、０〜２％のチタン、０〜１％のベリリウムを含み、２００〜２４０Ｇｐａのヤング率及び８０〜１００Ｇｐａの剪断弾性率を有する、多相のコバルト−ニッケル−クロムベースの合金製であり、前記ゼンマイは、９〜２１の幅厚比を有すること、並びに
前記枢軸に対する鋼又は鉄鋼の前記コア（４）の最大半径は、前記ゼンマイの最大幅の９倍未満であること
を特徴とする、請求項１〜１２のいずれか１項に記載の香箱アセンブリ（１）。
【請求項１４】
少なくとも１つの地板（２０）、少なくとも１つの受け（１０）、及び請求項１〜１３のいずれか１項に記載の少なくとも１つのエネルギ貯蔵用香箱アセンブリ（１）を含む時計ムーブメント（１００）であって、
前記香箱アセンブリ（１）は、第１の肩部（１８１）及び第２の肩部（１８２）それぞれを介して前記受け（１０）及び前記地板（２０）において枢動し、
前記香箱アセンブリ（１）は、角穴車ホルダ（８１）と一体として回転するよう設置される角穴車（１２）又はドラム（３）と一体として回転するよう設置されるドラム歯部（１３）によって形成される１つの入力、及びこれら各場合のそれぞれに対して、前記ドラム（３）と一体として回転するよう設置される前記ドラム（１３）歯部又は前記角穴車ホルダ（８１）と一体として回転するよう設置される前記角穴車（１２）によって形成される１つの出力を有する、時計ムーブメント（１００）。
【請求項１５】
請求項１４に記載の少なくとも１つの時計ムーブメント（１００）及び／又は請求項１〜１３のいずれか１項に記載の少なくとも１つのエネルギ貯蔵用香箱アセンブリ（１）を含む時計（１０００）であって、
前記香箱アセンブリ（１）は、角穴車ホルダ（８１）と一体として回転するよう設置される角穴車（１２）又はドラム（３）と一体として回転するよう設置されるドラム歯部（１３）によって形成される１つの入力、及びこれら各場合のそれぞれに対して、前記ドラム（３）と一体として回転するよう設置される前記ドラム歯部（１３）又は前記角穴車ホルダ（８１）と一体として回転するよう設置される前記角穴車（１２）によって形成される１つの出力を有する、時計（１０００）。
【発明の詳細な説明】
【技術分野】
【０００１】
本発明は、枢軸の周りで枢動する香箱真を含む時計の香箱アセンブリに関し、香箱真は、受けにおける香箱真の枢動をガイドするための第１の肩部と、地板における香箱真の枢動をガイドするための第２の肩部との間に、その第１の端部が第１の肩部上、第２の端部が第２の肩部上にあるように延在し、上記香箱真は、上記第１の肩部と上記第２の肩部との間に、コアが嵌め込まれる中間肩部を含み、上記香箱アセンブリは少なくとも１つの香箱用ゼンマイを含み、上記ゼンマイは、上記枢軸の周りを枢動する香箱ドラムと、上記コアの受承表面との間に、その第１の外側端部が香箱ドラム上、第２の内側端部が受承表面上にあるように設置される。
【０００２】
本発明はまた、少なくとも１つの地板、少なくとも１つの受け、及びこのタイプの少なくとも１つの香箱アセンブリを含む時計ムーブメントにも関する。
【０００３】
本発明はまた、このタイプの少なくとも１つの時計ムーブメント及び／又はこのタイプの少なくとも１つの香箱アセンブリを含む時計にも関する。
【０００４】
本発明は、時計学の分野に関し、より具体的にはムーブメント、時打ち動作又はその他の時計の機能に動力供給するためのエネルギ貯蔵香箱の分野に関する。
【背景技術】
【０００５】
ゼンマイの回転数を増やすことによりパワーリザーブを増大させるための１つの解決法は、香箱真及び関連するコアの直径を低減することにより、ゼンマイのために利用可能なドラム内部の空間を増大させることからなる。
【０００６】
ゼンマイの厚さに対するコア半径の比は通常１０〜２０であり、本発明はこの比を１０より小さく、好ましくは５〜１０の範囲内に低減することを提案する。
【０００７】
コア直径が小さすぎる場合破損のリスクがあるため、小さすぎる寸法に寸法決めしてはならない。
【０００８】
従来の香箱の構造において、角穴車は四角形部分を介して香箱真又はコアに軸方向に設置され、角穴車は通常軸方向のネジによって固定される。よってネジ及び四角形部分の寸法は、枢動肩部の最小直径を画定する。枢動肩部に連結される段差部は、地板若しくは宝石若しくは同様の要素を支持する受けに対する香箱真又はコアの前後振動を制限する。
【０００９】
ドラムの前後振動を制限する段差部と結合した香箱真又はコア上でのドラムの枢動をガイドするための肩部には、段差部よりも大きな直径が必要である。材料の断面を最小とするために必要な立体的連鎖には相当な寸法が必要となり、これを低減するのは困難である。特に単にすべての寸法を低減すると、材料の断面が耐疲労性を保証するには不十分なものとなってしまうため、これは不十分である。
【００１０】
ゼンマイホルダのコア直径及び香箱真の直径を最小化するための前提条件は、ドラムとコアとの間のいずれの振動、及び受けに対するコア（即ち香箱真）のいずれの振動を可能な限り制限することである。振動は、腕時計の使用範囲内における温度変動に関連するいずれの膨張又は収縮を可能にするために、自然に調整されなければならない。よって香箱の構造には、望ましくないエネルギを消費する摩擦を防止又は少なくとも制限することと、可能な限り小さい値の互いに対する振動とを両立できなければならない。
【００１１】
香箱の設計は、一般に大規模生産と関連しており、機械加工作業を可能な限り簡略化して製造コストを可能な限り低い水準に保たなければならない。当然、アフターサービスの要件として、特にゼンマイを交換するために香箱は分解が容易でなければならない。
【００１２】
Ｅｔａｂｌｉｓｓｅｍｅｎｔｓ  Ｐａｒｒｅｎｉｎによる特許文献１は、中空コアを開示しており、この中空コアの長さは香箱の厚さに等しく、香箱の中で取り外し可能な香箱真が地板及び受けにおいて枢動する。コア及び香箱真は、相補的な枢動駆動手段を有し、四角形部分を介したコアと香箱真との間の相対的な軸方向移動が可能であり、香箱真の端部のうちの一方は角穴車を駆動する段付き四角形部分を含む。角穴車は受けを越えて香箱の外側に保持される。ドラムはコアの段付き肩部上で枢動し、ドラムに固定される蓋はコアのもう一方の段付き肩部上で枢動する。コアに対するドラムの振動は、これら２つの段付き肩部の２つの段付き部によって反対方向に制限される。香箱真に対するコアの振動は、角穴車側ではコアの端面と協働する香箱真の段付き部によって制限され、他方の端部ではコアの他方の端面は地板上に支持される。地板及び受けに対する振動の制限は、一方の方向においては香箱真の段付き部と協働するコアによって、又は受けが支持する角穴車によって間接的に達成されるが、他方の方向においては角穴車駆動用四角形部分を備える香箱真の端部を越えた地点に取り外し可能な停止部材又は追加の受けを追加する必要があり、これはムーブメント内部に必要な厚さが増大するという欠点を有する。
【００１３】
ＣＯＭＰＡＧＮＩＥ  ＤＥＳ  ＭＯＮＴＲＥＳ  ＬＯＮＧＩＮＥＳ，  ＦＲＡＮＣＩＬＬＯＮ  Ｓ．Ａ．による特許文献２は、地板及び受けにおいて香箱真をガイドするための肩部の間の香箱真と単一の部品である角穴車を開示している。香箱真はゼンマイを支持するコアのための枢動駆動手段を含み、ドラム及び関連する蓋はコア上で枢動し、軸方向の遊びを有することなくコアをクランプ留めする。香箱真の振動は、一方の方向においては受け上に支持される角穴車によって制限され、他方の方向においては第１の端面を介して角穴車の内側表面上に支持されるコアによって間接的に制限され、ここで反対側の端面は地板上に支持される。この機構は、いずれの修理のために受けを取り外す必要があるという欠点を有する。
【００１４】
ＥＰＰＬＥ  ＫＧ  ＯＴＥＲＯ  ＵＨＲＥＮによる特許文献３は、厚さが分厚い機構を開示しており、ここで振動は、受けとドラムとの間で香箱真の溝と協働する板バネによって制限される。
【００１５】
ＫＩＥＮＺＬＥによる特許文献４は、コアに覆われた香箱真を開示しており、香箱真は香箱真の軸に平行な溝を含み、この溝において、長手方向のピンが香箱真の枢動の方向に応じてコアと香箱真との間で連結／連結解除カムとして作用する。ドラムはコア上で枢動し、蓋はドラムに固定される。コアの長さは地板と受けとの中心間距離にちょうど適合し、コア、ゼンマイドラム及び蓋によって形成されるアセンブリの横方向の挿入の後に香箱真をコアに嵌合できる。ドラムの振動は、一方の方向においては受けによって、他方の方向においてはコアの段付き部によって制限される。ここでまた、地板及び受けに対する香箱真の振動の制限には、角穴車の移動を制限するために受けにフランジを追加する必要があり、これは機構の厚さに関して問題となる。
【００１６】
ＢＲＡＣ  ＡＧによる特許文献５は、地板のセンタリング用スリーブの段付き部によって保持されるヘッドを含む平滑な香箱真を開示しており、香箱真の他方の平滑な端部は受けにおいて枢動する。ドラム及び蓋は、香箱真と同軸であるコアを、２つの肩部の間で軸方向の遊びを有して把持する。香箱真の平滑な側において、コアは角穴車を備える。コアの前後振動は、香箱真のヘッドがセンタリング用スリーブに支持される方向においては、受けの隅肉上の角穴車軸受けによって制限され、反対の方向においては、センタリング用スリーブ上に支持されるコアの端面によって制限される。センタリング用スリーブは、香箱真に追加の厚さを与えてしまう。
【００１７】
ＢＡＲＣＬＡＹによる特許文献６は、追加のゼンマイによって押圧される径方向に可動なへりを有する過負荷保護機構を含む、実施がより複雑なセイフティ香箱を開示している。
【００１８】
ＧＨＩＥＬＭＥＴＴＩによる特許文献７は、特別な香箱を開示しており、この香箱は、ゼンマイと付属の板バネとの間に挿入される非金属ストリップの突起と協働するスロットを備える蓋を含む。
【００１９】
これらの機構はいずれも直径の大きなコアを含み、これによって、ゼンマイのための又は香箱の動作に必要な構成部品が積み重った部分に追加される振動制限用構成部品のための空間は僅かしか残らず、香箱全体の厚さを増大させてしまう。
【先行技術文献】
【特許文献】
【００２０】
【特許文献１】フランス特許第３０６１０３号
【特許文献２】スイス特許第３２４２４９号
【特許文献３】ドイツ特許第１８７２３８８号
【特許文献４】米国特許第１１１００６１号
【特許文献５】スイス特許第２９５１３５号
【特許文献６】米国特許第１８２６２９号
【特許文献７】フランス特許第１４７３７４４号
【発明の概要】
【発明が解決しようとする課題】
【００２１】
様々な構成部品の寸法決めに関するこれらの物理的制限のために、上述した従来の構成とは異なる香箱の構成を想定することが必要である。
【００２２】
実質的な制約は、必要に応じてゼンマイを交換するためにアセンブリを分解できることを保証することである。
【課題を解決するための手段】
【００２３】
本発明は、従来技術と比較してコアの直径を有意に低減できる解決法を実施することを提案する。
【００２４】
従って本発明は、軸線の周りで枢動する香箱真を含む時計の香箱アセンブリに関し、香箱真は、受けにおける香箱真の枢動をガイドするための第１の肩部と、地板における香箱真の枢動をガイドするための第２の肩部との間に、その第１の端部が第１の肩部上、第２の端部が第２の肩部上にあるように延在し、上記香箱真は、上記第１の肩部と第２の肩部との間に、コアが嵌め込まれる中間肩部を含み、上記香箱アセンブリは少なくとも１つの香箱用ゼンマイを含み、上記ゼンマイは、上記枢軸の周りを枢動する香箱ドラムと、上記コアの受承表面との間に、その第１の外側端部が香箱ドラム上、第２の内側端部が受承表面上にあるように設置される、香箱アセンブリに関し、上記香箱真は、上記第１の肩部と上記コアとの間に、上記香箱真と一体の、角穴車を嵌め込む又は固定するための肩部を含む角穴車ホルダを含むこと、並びに上記コアは上記角穴車ホルダ側に、上記角穴車ホルダから離間して、その上で上記ドラムが上記ドラムの孔によって枢動的にガイドされる第１の上部外側シャフト形状部分を含むことを特徴とし、また上記角穴車は上記第１の肩部に対して上記シャフト形状部分と同じ側において、上記外側シャフト形状部分から離間して及び上記外側シャフト形状部分のすぐ傍に設置されること、並びに上記角穴車ホルダは、上記コアが上記ゼンマイの受承表面の縁部に備える軸受け表面に対する上記ドラムの振動を直接又は間接的に制限することを更に特徴とする。
【００２５】
本発明の特徴によると、上記第１の肩部は、上記香箱真の段付き端部によって上記角穴車ホルダの側において制限され、上記香箱真及び上記コアは、機能的な遊びを有して軸受けリングを収容し、この軸受けリングは、上記肩部上で、上記リングの第１の側においては香箱真の第１の段付き部又は角穴車ホルダと、第１の側と反対側の上記軸受けリングの第２の側においては上記コアの第１の端面との間で可動であり、この第１の端面は上記コアの第２の端面とは反対側であり、上記第２の端面は、上記香箱真の段付き端部と共に、上記香箱アセンブリが機能できる受けの軸受けと地板の軸受けの中心間距離を画定し、上記香箱アセンブリはこの中心間距離内において、上記第１の肩部及び上記第２の肩部のホゾ上で回転する。
【００２６】
本発明の特徴によると、上記香箱アセンブリは、上記コアに背分力又は牽引力を印加することにより上記コアを上記枢軸に沿って軸方向に引き抜くことができるよう配設される引き抜き手段を含む。
【００２７】
本発明の特徴によると、上記コアは２つの部分で作製され、第１のチューブ状部分は、上記香箱真と協働するよう配設され、２つの対向する軸方向端部に上記第１の端面及び上記第２の端面を含み、上記チューブ状部分の外径は上記ドラムの孔のためのホゾを形成するよう配設される第１の外側シャフト形状部分を形成し、他方の第２の実質的にチューブ状である部分は、上記第１の外側シャフト形状部分を嵌め込む孔を含み、また上記第２の部分は、上記ゼンマイの受承表面を含むか又は上記ゼンマイの内側端部を形成する。
【００２８】
本発明の特徴によると、上記香箱真及び上記コアは共に、溶接された単一部品のゼンマイ−コアサブアセンブリを形成する。
【００２９】
本発明はまた、少なくとも１つの地板、少なくとも１つの受け、及びこのタイプの少なくとも１つのエネルギ貯蔵用香箱アセンブリを含む時計ムーブメントにも関し、この香箱アセンブリは、上記第１の肩部及び上記第２の肩部それぞれを介して上記受け及び上記地板において枢動し、上記角穴車ホルダと一体として回転するよう設置される角穴車又は上記ドラムと一体として回転するよう設置されるドラム歯部によって形成される１つの入力、及びこれら各場合のそれぞれに対して、上記ドラムと一体として回転するよう設置されるドラム歯部又は上記角穴車ホルダと一体として回転するよう設置される角穴車によって形成される１つの出力を有する。
【００３０】
本発明はまた、このタイプの少なくとも１つの時計ムーブメント及び／又はエネルギ貯蔵用のこのタイプの少なくとも１つの香箱アセンブリを含む時計にも関し、上記香箱アセンブリは、上記角穴車ホルダと一体として回転するよう設置される角穴車又は上記ドラムと一体として回転するよう設置されるドラム歯部によって形成される１つの入力、及びこれら各場合のそれぞれに対して、上記ドラムと一体として回転するよう設置されるドラム歯部又は上記角穴車ホルダと一体として回転するよう設置される角穴車によって形成される１つの出力を有する。
【００３１】
本発明の他の特徴及び利点は、添付の図面を参照して以下の詳細な説明を読むことにより、より明らかになるであろう。
【図面の簡単な説明】
【００３２】
【図１】図１は、本発明による時計の香箱の、軸線を通る平面における概略断面図であり、香箱は香箱真に設置されるコアを有する。
【図２】図２は、図１の中心部の詳細である。
【図３】図３は、図１の香箱真の部分上面図である。
【図４】図４は、図１の香箱の変形例であり、香箱は２つの同軸部分から作製され香箱真に設置されるコアを有する。
【図５】図５は、本発明による香箱の別の変形例を示す図２と同様の図であり、香箱は受けの下方に位置する角穴車ホルダ及びコアを引き抜く手段を有する。
【図６】図６は、コアと香箱真との間にシムワッシャを挿入した同一の香箱の変形例である。
【図７】図７は、本発明による香箱アセンブリを含む時計ムーブメント並びにこのムーブメント及び本発明による香箱アセンブリを含む時計のブロック図である。
【発明を実施するための形態】
【００３３】
本発明は、時計学の分野に関し、より具体的にはムーブメント、時報動作又はその他の時計の機能に動力供給するためのエネルギ貯蔵香箱の分野に関する。
【００３４】
より具体的には、本発明は低減されたコア直径を有する機械式腕時計のための香箱に関する。
【００３５】
本発明は、軸線Ｄの周りで枢動する香箱真１８を含む時計の香箱アセンブリ１に関し、香箱真１８は、受け１０における、特に受け１０に嵌め込まれた宝石５１０における香箱真の枢動をガイドするための第１の肩部１８１と、地板２０における、特に上記地板２０に嵌め込まれた宝石５２０における香箱真の枢動をガイドするための第２の肩部１８２との間に、その第１の端部８６が第１の肩部１８１上、第２の端部８７が第２の肩部上１８２にあるように延在する。
【００３６】
香箱真１８は、第１の肩部１８１と第２の肩部１８２との間に、コア４が嵌め込まれる中間肩部８４を含む。
【００３７】
この香箱アセンブリ４は、少なくとも１つの香箱用ゼンマイ２を含み、ゼンマイ２は、軸線Ｄの周りを枢動する香箱ドラム３と、コア４の受承表面との間に、その第１の外側端部２１が香箱ドラム３上、第２の内側端部２２が受承表面上にあるように設置される。
【００３８】
本発明によると、香箱真１８は、第１の肩部１８１とコア４との間に上記香箱真１８と一体の、角穴車２を嵌め込む又は固定するための肩部を含む角穴車ホルダ８１を含む。
【００３９】
実施形態に応じて、香箱真１８及び角穴車ホルダ８１は、例えば旋削によって直接製造される単一部品のアセンブリ、又は例えば一方を他方に嵌め込む等して一方が他方の上部にしっかりと固定される２つの独立した構成部品である。香箱真１８に嵌め込まれる角穴車ホルダ８１を有する実施形態の利点は、香箱真を角穴車ホルダに嵌め込むために有意な締め付け力が用いられたとしても、分解が可能であるという点である。
【００４０】
角穴車ホルダ８１を固定することにより、直径の小さい香箱の使用に関する従来の障害が取り除かれる。上記障害とは一般に、香箱真の端部にある角穴車駆動用四角形部分の存在である。角穴車は、対応するメス型機械加工を有し、オス型の四角形部分及びメス型の四角形部分は、適正なコストで機械加工できるように、並びに最大トルク及びいずれの衝撃を吸収するための十分な耐性を有するように、特定の最小寸法を有さなければならない。角穴車ホルダ８１を使用するということは、この四角形部分がもはや不要であることを意味し、これによって駆動手段を、平坦な駆動部、又は角穴車ホルダ８１のフランジにわたって星形に配設される複数のネジ等の、製造がより容易で安価な他の手段に置き換えることができる。
【００４１】
更に、コア４は角穴車ホルダ８１側に、角穴車ホルダ８１から離間して、第１の外側シャフト形状上部４３を含み、第１の外側シャフト形状上部４３上でドラム２の孔３５によってドラム３の枢動がガイドされる。
【００４２】
更に、角穴車１２は、第１の肩部１８１に対して第１の外側シャフト形状部分４３と同じ側において、上記部分４３から離間して及び上記部分４３のすぐ傍に設置される。角穴車ホルダ８１は、コア４がゼンマイ２のための受承表面５の縁部に備える軸受け表面４３Ａに対するドラム３の振動を直接又は間接的に制限する。
【００４３】
本発明による構成により、軸線Ｄに対するコア４の最大半径の値を制限でき、特に通常のゼンマイの場合、ゼンマイ２の最大厚さの１０倍未満の値にまで制限できる。
【００４４】
図１に示すバージョンでは、香箱真１８は、段付き端部８５の第１の端部と肩部８４を含む第２の端部８７との間に延在し、コア４は枢軸Ｄに沿って強制的に肩部８４上に嵌め込まれる。
【００４５】
香箱真１８の第１の肩部１８１は、上記香箱真１８の段付き端部８５によって角穴車ホルダ８１の側において制限される。
【００４６】
好ましくは、摩擦によるエネルギ損失を制限するために、段付き端部８５の最大直径は、香箱真１８の第１の端部の肩部１８１がそこで枢動する宝石５１０の最大直径よりも小さい。
【００４７】
同様に、コア４は、宝石５２０において枢動する香箱真１８の第２の端部の肩部１８２の傍に端面４９Ａを含み、この端面４９Ａの最大直径は宝石５２０の最大直径よりも小さい。
【００４８】
好ましくは、図示したように、第１の肩部１８１は角穴車ホルダ８１における香箱真１８の直径の寸法よりも小さな直径を有し、又は場合によっては角穴車ホルダ８１が固定される肩部８８の直径の寸法よりも小さな直径を有する。
【００４９】
好ましくは、香箱真１８の第１の肩部１８１は、コア４の中間肩部８４の直径よりも小さな直径を有する。
【００５０】
図１、図２、図３、図４、図６に見ることができる有利な実施形態では、香箱真１８及びコア４は、軸受けリング１９を機能的な遊びＪを有して収容する。リング１９は、肩部８４上で：
−リング１９の第１の側１９１において、香箱真１８の第１の段付き部８３、又は角穴車ホルダ８１；と
−第１の側１９１の反対側の軸受けリング１９の第２の側１９２において、コア４の第１の端面４９Ａ
との間で可動である。
【００５１】
コア４は、第１の端面４９の反対側に第２の端面４９Ａを有する。
【００５２】
この第２の端面４９Ａは、香箱真１８の段付き端部８５と共に、香箱アセンブリ１が機能できる受け１０の軸受けと地板２０の軸受けの中心間距離Ｅを画定し、香箱アセンブリ１はこの中心間距離Ｅ内において、第１の肩部１８１及び第２の肩部１８２のホゾ上で回転する。
【００５３】
好ましくは、機能的な遊びＪは０．０４ｍｍ〜０．０８ｍｍである。
【００５４】
変形例では、角穴車ホルダ８１は上記軸受けリング１９を受承するための内側ハウジングを有する。
【００５５】
分解を容易にするための好ましい実施形態では、本発明の香箱アセンブリ１は、コア４に背分力又は牽引力を印加することによりコア４を軸線Ｄに沿って軸方向に引き抜くことができるよう配設される、引き抜き手段１９０を含む。
【００５６】
この引き抜き手段は、少なくとも１つの溝１９０Ａ及び／又はコア４が第２の端面４９Ａの傍に備える段付き部によって形成される。この第２の端面４９Ａは、端部のうちの一方において軸受け面４３Ａの反対側かつコア４の第２の底部外側シャフト形状部分４４を越えた地点に位置する。
【００５７】
図示したように、ゼンマイ２は、好ましくはドラム３及びドラム３に固定される蓋７によって範囲を定められるチャンバ３２内に収容される。
【００５８】
この第２の部分４４は、ドラム３と共に少なくとも１つのゼンマイ２を収容するための上記チャンバ３２を形成するよう配設される蓋７の孔７５を摺動自在に受承するよう配設される。
【００５９】
好ましくは、本発明の有利な構成を利用するために、角穴車ホルダ８１が香箱真８の肩部８８に嵌め込まれる変形例では、図１に示すように、肩部８８の直径は、ドラム３の孔３５の直径よりも小さく、蓋７の孔７５の直径よりも小さい。
【００６０】
図１〜図３に示す有利な変形例では、角穴車ホルダ８１は、第１の段付き部８３のすぐ傍に少なくとも１つのノッチ８２を含み、軸受けリング１９に部分的に重なっており、これによって軸受けリング１９に推力を印加することにより、ノッチ８２を通して挿入される工具を用いて上記リングを分解することが可能となり、上記少なくとも１つのノッチ及び軸受けリング１９は、共にコア４の引き抜き手段１９０を形成する。
【００６１】
図４の変形例では、コア４は２つの部分で作製され、第１のチューブ状部分４Ａ（図面ではＡとも呼ぶ）は香箱真１８と協働するように配設され、対向する軸方向端部両方に第１の端面４９及び第２の端面４９Ａを含む。
【００６２】
チューブ状部分４Ａの外径は、ドラム３の孔３５のホゾを形成するよう配設される第１の外側シャフト状部分４３を形成し、好ましくは第１の外側シャフト状部分４３は、図面に示した変形例のように香箱アセンブリ１が蓋７を有する場合、このような蓋７をガイドするようにも配設される。他方の第２の部分４Ｂ（Ｂとも呼ぶ）は、実質的にチューブ状であり、第１の外側シャフト部分４３を嵌め込む孔を含む。
【００６３】
この第２の部分４Ｂ又はＢはいずれも、ゼンマイ２のための受承表面５を含むか、又はゼンマイ２及び第２の部分４Ｂで形成される溶接された実施形態又は同様に一体型の有利な実施形態においては、ゼンマイ２の内側端部を形成する。
【００６４】
図５は、本発明による別の香箱の変形例を図２と同様の様式で示し、ここで角穴車ホルダ８１は受けの下方に位置し、コアを引き抜く手段１９０が溝１９０によって形成される。
【００６５】
図６は、コアと香箱真との間にシムワッシャ１９３を挿入した同一の香箱の変形例である。
【００６６】
好ましい実施形態では、角穴車ホルダ８１は、例えば溝である相補的な手段を有する角穴車１２のための、例えば平坦部分である枢動駆動手段を有し、上記角穴車１２は角穴車ホルダ８１とドラム３との間に収容される。この配置により、角穴車１２の製造の簡略化が更に容易となり、これは本発明による角穴車ホルダ８１を用いることにより達成される。
【００６７】
好ましい変形例では、受承表面５は、ゼンマイ２のための実質的に螺旋状の軸受け表面を含み、この軸受け表面の母線は枢軸Ｄに平行であり、勾配はゼンマイ２の厚さに適合するか、又は受承表面５が備える、ゼンマイ２を引っ掛けるためのフックの径方向に突出する寸法に適合する。
【００６８】
変形例では、受承表面５は軸線Ｄに対する回転の表面である。
【００６９】
図示していない変形例では、ゼンマイ２はコア４に摩擦によって固定される。
【００７０】
有利には、ゼンマイ２はコア４と共に、溶接若しくはハンダ付けされた単一の部品又は同様のゼンマイ−コアサブアセンブリを形成する。
【００７１】
好ましくは、ゼンマイ２は、４４〜４６％のコバルト、２０〜２２％のニッケル、１７〜１９％のクロム、４〜６％の鉄、３〜５％のタングステン、３〜５％のモリブデン、０〜２％のチタン、０〜１％のベリリウムを含み、２００〜２４０Ｇｐａのヤング率及び８０〜１００Ｇｐａの剪断弾性率を有する、多相のコバルト−ニッケル−クロムベースの合金製であり、このゼンマイ２は、３〜２３、特に９〜２１の幅厚比を有し、枢軸に対する鋼又は鉄鋼のコアの最大半径は、ゼンマイ２の最大幅の９倍未満である。
【００７２】
本発明はまた、少なくとも１つの地板、少なくとも１つの受け、及び少なくとも１つのエネルギ貯蔵用香箱アセンブリ１を含む時計ムーブメント１００にも関し、この香箱アセンブリ１は、図５又は６に示すように、第１の肩部１８１及び第２の肩部１８２それぞれを介して受け１０及び地板２０において枢動する。アセンブリ１は、角穴車ホルダ８１と一体として回転するよう設置される角穴車１２又はドラム３と一体として回転するよう設置されるドラム歯部１３のいずれかによって形成される１つの入力、及びこれら各場合のそれぞれに対して、ドラム３と一体として回転するよう設置されるドラム歯部１３又は角穴車ホルダ８１と一体として回転するよう設置される角穴車１２によって形成される１つの出力を有する。
【００７３】
本発明はまた、少なくとも１つの時計ムーブメント１００及び／又はエネルギ貯蔵用のこのタイプの少なくとも１つの香箱アセンブリ１を含む時計ムーブメント１０００にも関し、この香箱アセンブリ１は、角穴車ホルダ８１と一体として回転するよう設置される角穴車１２又はドラム３と一体として回転するよう設置されるドラム歯部１３のいずれかによって形成される１つの入力、及びこれら各場合のそれぞれに対して、ドラム３と一体として回転するよう設置されるドラム歯部１３又は角穴車ホルダ８１と一体として回転するよう設置される角穴車１２よって形成される１つの出力を有する。
【００７４】
本発明の香箱の特定の配置により、香箱の厚さを増大させることなく、コアの径方向寸法を小さな直径値に制限できる。従って、ドラム及び蓋によって範囲を定められるチャンバの利用可能な容積が最適化される。受けを取り外すことなく、香箱を分解できる。
【図１】
0005807121.tif 000002
【図２】
0005807121.tif 000003
【図３】
0005807121.tif 000004
【図４】
0005807121.tif 000005
【図５−６】
0005807121.tif 000006
【図７】
0005807121.tif 000007